(57)【要約】【課題】この発明は、電子メールにより番組予約登録を行なう受信装置に対して、ユーザが簡易な操作で情報端末から電子メール機能を用いた番組予約を行なわせることができ、ユーザにとっての取り扱いを便利し得るようにした番組予約装置及び番組予約方法を提供することを目的としている。【解決手段】番組情報を取得する取得手段（４４，５０）と、取得された番組情報に基づいて電子番組表を作成する番組表作成手段（６３）と、作成された電子番組表を画面上に表示させる表示手段（１４）と、表示された電子番組表から所望の番組を選択し決定させる選択手段（１７，６３）と、選択決定された番組について、電子メールによる番組予約を行なうための番組予約用メール本文を作成するメール作成手段（６３ｅ）と、作成された番組予約用メール本文を外部に伝達させるための伝達手段（７２，７３）とを備える。【選択図】    図２
2009060255.tif 000002
【特許請求の範囲】
【請求項１】
番組情報を取得する取得手段と、
前記取得手段で取得された番組情報に基づいて電子番組表を作成する番組表作成手段と、
前記番組表作成手段で作成された電子番組表を画面上に表示させる表示手段と、
前記表示手段で表示された電子番組表から所望の番組を選択し決定させる選択手段と、
前記選択手段で選択決定された番組について、電子メールによる番組予約を行なうための番組予約用メール本文を作成するメール作成手段と、
前記メール作成手段で作成された番組予約用メール本文を外部に伝達させるための伝達手段とを具備することを特徴とする番組予約装置。
【請求項２】
前記メール作成手段は、電子メールによる番組予約登録を行なうことが可能な各種の受信装置にそれぞれ対応したフォーマットの番組予約用メール本文を作成可能であることを特徴とする請求項１記載の番組予約装置。
【請求項３】
前記メール作成手段は、電子メールによる番組予約登録を行なう受信装置の製造メーカー及び機種を設定させる設定手段を具備し、前記設定手段で設定された製造メーカー及び機種に基づいて、電子メールによる番組予約登録を行なうための受信装置に対応したフォーマットの番組予約用メール本文を作成することを特徴とする請求項１記載の番組予約装置。
【請求項４】
前記メール作成手段は、前記選択手段で選択決定された番組について、その番組に固有の識別情報を含んだ、電子メールによる番組指定予約を行なうための番組予約用メール本文を作成することを特徴とする請求項１記載の番組予約装置。
【請求項５】
前記伝達手段は、前記メール作成手段で作成された番組予約用メール本文を、無線通信及びバーコードのいずれかにより、外部の情報端末に伝達させることを特徴とする請求項１記載の番組予約装置。
【請求項６】
放送信号を受信する受信手段と、
前記受信手段で受信した放送信号から所望のチャンネルの信号を抽出して所定の信号処理を施すことで映像信号を生成する信号処理手段と、
前記信号処理手段で得られた映像信号を出力する出力手段と、
番組情報を取得する取得手段と、
前記取得手段で取得された番組情報に基づいて電子番組表を作成する番組表作成手段と、
前記番組表作成手段で作成された電子番組表を画面上に表示させる表示手段と、
前記表示手段で表示された電子番組表から所望の番組を選択し決定させる選択手段と、
前記選択手段で選択決定された番組について、電子メールによる番組予約を行なうための番組予約用メール本文を作成するメール作成手段と、
前記メール作成手段で作成された番組予約用メール本文を外部に伝達させるための伝達手段とを具備することを特徴とする放送受信装置。
【請求項７】
番組情報を取得する工程と、
取得された番組情報に基づいて電子番組表を作成する工程と、
作成された電子番組表を画面上に表示させる工程と、
表示された電子番組表から所望の番組を選択し決定させる工程と、
選択決定された番組について、電子メールによる番組予約を行なうための番組予約用メール本文を作成する工程と、
作成された番組予約用メール本文を外部に伝達させる工程とを具備することを特徴とする番組予約方法。
【発明の詳細な説明】
【技術分野】
【０００１】
この発明は、配信番組を受信する受信装置に対して、例えば携帯電話等の情報端末から電子メール機能を用いて番組予約を行なわせるための番組予約装置及び番組予約方法の改良に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタルテレビジョン放送を受信するデジタル放送受信装置では、放送信号から取得したＥＰＧ（electronic program guide）情報に基づいて電子番組表を作成し、画面に映像表示している。これにより、ユーザは、映像表示された電子番組表から所望の番組を選択して、視聴や録画予約等を行なうことができる。
【０００４】
また、この種のデジタル放送受信装置にあっては、例えばインターネット等のネットワークに接続可能な機能が搭載されているものもある。そして、ネットワークを介して、各種商用コンテンツの検索及び閲覧や、受信装置自体のソフトウェアのアップデート等を行なうことができるようになっている。
【０００５】
特に、このネットワーク接続機能を備えたデジタル放送受信装置においては、電子メールを用いた番組予約機能を搭載したものも開発されている。これにより、ユーザは、遠隔地にいても、例えば携帯電話等の情報端末を用いて自宅のデジタル放送受信装置に電子メールを送ることによって、番組予約登録を行なうことができる。
【０００６】
ところで、現在、電子メールを用いて番組予約を行なうためには、ユーザが、番組予約登録を行なうデジタル放送受信装置、つまり、電子メールの送信先となるデジタル放送受信装置に対応して予め設定されたフォーマットの番組予約用メール本文を情報端末に入力し、その番組予約用メール本文をデジタル放送受信装置に送信する必要がある。
【０００７】
しかしながら、番組予約用メール本文を情報端末に入力する場合、入力項目が多いため操作が煩雑になるとともに、そのフォーマット、つまり、記載順序や、チャンネル及びデジタル放送受信装置を指定するためのキーワード等を、ユーザが覚えておくかメモを携帯する必要があり、ユーザにとって使い勝手が悪いというのが現状である。
【０００８】
特許文献１には、スケジューラに表示された放送予定情報のいずれかがユーザの操作で選択されたとき、選択された放送番組を特定する録画要求情報を電子メールでサービス専用サーバに送信し、サービス専用サーバが録画要求情報を解析して録画装置を駆動させるようにした構成が開示されている。
【特許文献１】特開２００５−２８６７６２号公報
【発明の開示】
【発明が解決しようとする課題】
【０００９】
そこで、この発明は上記事情を考慮してなされたもので、電子メールにより番組予約登録を行なう受信装置に対して、ユーザが簡易な操作で情報端末から電子メール機能を用いた番組予約を行なわせることができ、ユーザにとっての取り扱いを便利し得るようにした番組予約装置及び番組予約方法を提供することを目的とする。
【課題を解決するための手段】
【００１０】
この発明に係る番組予約装置は、番組情報を取得する取得手段と、取得手段で取得された番組情報に基づいて電子番組表を作成する番組表作成手段と、番組表作成手段で作成された電子番組表を画面上に表示させる表示手段と、表示手段で表示された電子番組表から所望の番組を選択し決定させる選択手段と、選択手段で選択決定された番組について、電子メールによる番組予約を行なうための番組予約用メール本文を作成するメール作成手段と、メール作成手段で作成された番組予約用メール本文を外部に伝達させるための伝達手段とを備えるようにしたものである。
【００１１】
また、この発明に係る番組予約方法は、番組情報を取得する工程と、取得された番組情報に基づいて電子番組表を作成する工程と、作成された電子番組表を画面上に表示させる工程と、表示された電子番組表から所望の番組を選択し決定させる工程と、選択決定された番組について、電子メールによる番組予約を行なうための番組予約用メール本文を作成する工程と、作成された番組予約用メール本文を外部に伝達させる工程とを備えるようにしたものである。
【発明の効果】
【００１２】
上記した発明によれば、電子番組表から選択決定された番組について、電子メールによる番組予約を行なうための番組予約用メール本文を作成し、電子メールにより番組予約登録を行なう受信装置に電子メールを送信するための外部の情報端末に伝達させるようにしたので、電子メールにより番組予約登録を行なう受信装置に対して、ユーザが簡易な操作で情報端末から電子メール機能を用いた番組予約を行なわせることができ、ユーザにとっての取り扱いを便利することができる。
【発明を実施するための最良の形態】
【００１３】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１４】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、スピーカ１５、操作部１６、リモートコントローラ１７から送信される操作情報を受ける受光部１８等が設置されている。
【００１５】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１６】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００１７】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００１８】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００１９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００２０】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、デジタル放送受信機能を有するＨＤＤ内蔵のＤＶＤ（digital versatile disk）レコーダ２９等の機器を接続し、これらの機器と情報伝送を行なうために使用される。
【００２１】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２２】
さらに、この第２のＬＡＮ端子２２は、ハブ２６に接続されたブロードバンドルータ３１を介して、例えばインターネット等のネットワーク３２に接続可能であり、そのネットワーク３２を介してＰＣ３３や携帯電話３４等の各種情報端末と情報伝送を行なうために使用される。
【００２３】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２４】
さらに、上記ＩＥＥＥ１３９４端子２４は、例えば、それぞれがデジタル放送受信機能を有するＡＶ（audio video）−ＨＤＤ４１やＤ（digital）−ＶＨＳ（video home system）４２等をシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４３で受信した衛星デジタル放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（phase shift keying）復調器４６に供給されてＴＳ（transport stream）が復調される。このＴＳは、ＴＳ復号器４７に供給されてデジタルの映像信号及び音声信号等に復号化された後、信号処理部４８に出力される。
【００２７】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２８】
そして、このチューナ５１で選局された放送信号は、ＯＦＤＭ（orthogonal frequency division multiplexing）復調器５２に供給されてＴＳが復調される。このＴＳは、ＴＳ復号器５３に供給されてデジタルの映像信号及び音声信号に復号化された後、上記信号処理部４８に出力される。
【００２９】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００３０】
ここで、上記信号処理部４８は、ＴＳ復号器４７，５３からそれぞれ供給されたデジタルの映像信号及び音声信号に対して、選択的に所定のデジタル信号処理を施し、グラフィックス処理部５６及び音声処理部５７に出力している。
【００３１】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３２】
そして、この信号処理部４８は、上記アナログ復調器５５及び各入力端子５８ａ〜５８ｄからそれぞれ供給されたアナログの映像信号及び音声信号を選択的にデジタル化し、そのデジタル化された映像信号及び音声信号に対して所定のデジタル信号処理を施した後、グラフィックス処理部５６及び音声処理部５７に出力している。
【００３３】
このうち、グラフィックス処理部５６は、信号処理部４８から供給されるデジタルの映像信号に、ＯＳＤ（on screen display）信号生成部５９で生成されるＯＳＤ信号を重畳して出力する機能を有する。また、このグラフィックス処理部５６は、信号処理部４８の出力映像信号と、ＯＳＤ信号生成部５９の出力ＯＳＤ信号とを選択的に出力することや、両出力をそれぞれ画面の半分を構成するように組み合わせて出力することができる。
【００３４】
そして、グラフィックス処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３５】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３６】
ここで、このデジタルテレビジョン放送受信装置１１は、上記した各種の受信動作を含むその全ての動作を制御部６３によって統括的に制御されている。この制御部６３は、ＣＰＵ（central processing unit）６３ａを内蔵しており、前記操作部１６からの操作情報を受け、または、リモートコントローラ１７から送出され前記受光部１８で受信した操作情報を受けて、その操作内容が反映されるように各部をそれぞれ制御している。
【００３７】
この場合、制御部６３は、主として、そのＣＰＵ６３ａが実行する制御プログラムを格納したＲＯＭ（read only memory）６３ｂと、該ＣＰＵ６３ａに作業エリアを提供するＲＡＭ（random access memory）６３ｃと、各種の設定情報及び制御情報等が格納される不揮発性メモリ６３ｄとを利用している。
【００３８】
また、この制御部６３は、カードＩ／Ｆ（interface）６４を介して、前記第１のメモリカード１９が装着可能なカードホルダ６５に接続されている。これによって、制御部６３は、カードホルダ６５に装着された第１のメモリカード１９と、カードＩ／Ｆ６４を介して情報伝送を行なうことができる。
【００３９】
さらに、上記制御部６３は、カードＩ／Ｆ６６を介して、前記第２のメモリカード２０が装着可能なカードホルダ６７に接続されている。これにより、制御部６３は、カードホルダ６７に装着された第２のメモリカード２０と、カードＩ／Ｆ６６を介して情報伝送を行なうことができる。
【００４０】
また、上記制御部６３は、通信Ｉ／Ｆ６８を介して第１のＬＡＮ端子２１に接続されている。これにより、制御部６３は、第１のＬＡＮ端子２１に接続されたＬＡＮ対応のＨＤＤ２５と、通信Ｉ／Ｆ６８を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４１】
さらに、上記制御部６３は、通信Ｉ／Ｆ６９を介して第２のＬＡＮ端子２２に接続されている。これにより、制御部６３は、第２のＬＡＮ端子２２に接続された各機器（図１参照）と、通信Ｉ／Ｆ６９を介して情報伝送を行なうことができる。
【００４２】
また、上記制御部６３は、ＵＳＢ Ｉ／Ｆ７０を介して前記ＵＳＢ端子２３に接続されている。これにより、制御部６３は、ＵＳＢ端子２３に接続された各機器（図１参照）と、ＵＳＢ Ｉ／Ｆ７０を介して情報伝送を行なうことができる。
【００４３】
さらに、上記制御部６３は、ＩＥＥＥ１３９４ Ｉ／Ｆ７１を介してＩＥＥＥ１３９４端子２４に接続されている。これにより、制御部６３は、ＩＥＥＥ１３９４端子２４に接続された各機器（図１参照）と、ＩＥＥＥ１３９４ Ｉ／Ｆ７１を介して情報伝送を行なうことができる。
【００４４】
また、上記制御部６３は、メールデータ作成部６３ｅを備えている。このメールデータ作成部６３ｅは、詳細は後述するが、ユーザが映像表示器１４に表示された電子番組表から選択した番組について、図示しない所定の受信装置に電子メールによる番組予約登録を行なうために、その受信装置に対応したフォーマットの番組予約用メール本文を自動作成する機能を有している。
【００４５】
そして、ユーザは、メールデータ作成部６３ｅで作成された番組予約用メール本文を、番組予約登録を行なう受信装置に電子メールを送信するための情報端末（図示せず）に、メールデータ送信部７２を介して無線送信により伝達させる。このメールデータ送信部７２は、例えばBlueTooth（登録商標）や赤外線等を使用して情報を無線送信する機能を有している。
【００４６】
その後、ユーザは、番組予約登録を行なう受信装置に対して、番組予約用メール本文が伝達された情報端末から、その番組予約用メール本文を電子メールにより当該受信装置に送信する。すると、受信装置では、電子メールで受信した番組予約用メール本文に基づいて番組予約登録が行なわれ、ここに、受信装置に対して電子メール機能を用いた番組予約が行なわれることになる。
【００４７】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４８】
ここで、このデジタルテレビジョン放送受信装置１１では、ユーザがリモートコントローラ１７の番組表キー１７ｈを操作することにより、電子番組表を映像表示器１４に表示させることができる。
【００４９】
この電子番組表は、予め放送信号やネットワーク等を介して取得した番組情報であるＥＰＧ情報に基づいて作成されるもので、テレビジョン放送の場合、１週間先までの全番組表が作成されて、映像表示器１４で表示されるようになっている。
【００５０】
ただし、この作成された１週間分の電子番組表は、その全てが映像表示器１４に一括表示されるわけではなく、所定のチャンネル数及び所定の日時範囲でなる一定の領域が、映像表示器１４に表示されることになる。
【００５１】
そして、ユーザは、映像表示器１４の画面上で電子番組表をスクロールさせたり、映像表示器１４の１画面単位で電子番組表の表示させる領域を切り替えたりすることにより、電子番組表内の所望の領域を視認することができる。
【００５２】
なお、ユーザがリモートコントローラ１７の番組表キー１７ｈを操作したとき、映像表示器１４に最初に表示される電子番組表の領域は、前回に表示されたチャンネルや日時等のラスト条件に基づいて決定される。
【００５３】
図４は、映像表示器１４に表示された電子番組表の表示形態の一例を示している。この電子番組表は、水平方向が複数（図示の場合は６つ）の放送局（チャンネル）を配列したチャンネル軸となり、垂直方向が数時間（図示の場合は５時間）分の時間範囲に対応した時間軸となって、番組を表示している。
【００５４】
すなわち、この電子番組表は、その中央部に、６つの放送局（チャンネル）に対応して水平方向に配列された６つの番組欄を有している。これら６つの番組欄には、それぞれ、チャンネル番号０１１，０２１，１４１，１５１，１６１，１７１と、放送局名Ａ，Ｂ，Ｃ，Ｄ，Ｅ，Ｆと、番組名Ａ１〜Ａ６，Ｂ１〜Ｂ５，Ｃ１〜Ｃ５，Ｄ１〜Ｄ５，Ｅ１〜Ｅ５，Ｆ１〜Ｆ５とが記述されている。
【００５５】
また、この電子番組表では、その図中上部に、現在受信している放送の種類が地上デジタルテレビジョン放送であることを示す「地上Ｄテレビ」なる表示と、現在日時が１０月２８日の土曜日の午前９時１３分であることを示す「現在日時 １０／２８（土） ＡＭ９：１３」なる表示と、表示可能な電子番組表の日（曜日）の範囲を示す表示とが行なわれるようになっている。
【００５６】
すなわち、今、電子番組表は、現在日時が１０月２８日（土）の午前９時１３分であるため、１０月２８日（土）の午前９時から、その１週間後である１１月４日（土）の午前８時台（午前９時未満）までの分が作成されている。そして、表示可能な電子番組表の日（曜日）の範囲は、現在の日（曜日）を含めて１週間先までの日（曜日）、つまり、１０／２８（土），２９（日），３０（月），３１（火），１１／１（水），２（木），３（金），４（土）なる８日間が順次並べて表示されたものとなっている。この場合、現在表示されている電子番組表の日（曜日）を示す文字［４（土）］が、他の日（曜日）を示す文字よりも拡大して表示されるようにしている。
【００５７】
また、この電子番組表では、その図中下部に、現在選択されている（電子番組表上でカーソルによって指示されている）番組Ｄ３について、放送の種類（地上Ｄ）、チャンネル番号（１５１ｃｈ）、番組名（Ｄ３）及び放送時間（ＡＭ６：００〜ＡＭ６：５０）等を表示している。この場合、現在選択されている番組Ｄ３は、その電子番組表内における表示領域が他の番組の表示領域と色を変えて表示されることがカーソルで指示されていることになるが、図４では、ハッチングで囲むことにより表現している。
【００５８】
さらに、この電子番組表では、その左右に、上から下に向けて、５時間分の時間範囲を１時間単位で区切って表示するための領域が設けられている。図４では、図中上から下に向けて、午前４時台、午前５時台、午前６時台、午前７時台、午前８時台を示す５時間分が表示されている。
【００５９】
また、この電子番組表には、その図中下部に、上記リモートコントローラ１７のカラーキー１７ｍの各色（青，赤，緑，黄）にそれぞれ対応させて、その色のカラーキー１７ｍが操作されたときに実現される機能が表示されている。
【００６０】
そして、この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、電子番組表を１画面単位で上下左右方向に選択的にスキップさせることが可能である。
【００６１】
この場合、時間軸方向にスクロールやスキップが行なわれると、電子番組表の左右に表示されている各時間と、６つの番組欄内に表示されている番組名とは、それぞれ移動後の時間及び番組名に変更されることになる。また、チャンネル軸方向にスクロールやスキップが行なわれた場合、６つの番組欄内に表示されている各チャンネル番号、各放送局名及び各番組名は、それぞれ移動後のチャンネル番号、放送局名及び番組名に変更されることになる。
【００６２】
次に、上記のように映像表示器１４に表示された電子番組表からユーザが所望の番組を選択したとき、その選択された番組について図示しない受信装置に電子メールによる番組予約登録を行なうための番組予約用メール本文を自動作成し、その番組予約用メール本文を情報端末から電子メールで受信装置に送信する一連の動作について具体的に説明する。
【００６３】
すなわち、図４で説明したように、映像表示器１４に表示された電子番組表に記述されている各番組は、カーソルによって選択することができる。例えば、番組Ｄ３がカーソルで選択されている状態で、ユーザがリモートコントローラ１７の決定キー１７ｇを操作すると、図５に示すような予約選択画面が映像表示器１４に表示される。
【００６４】
この予約選択画面は、電子番組表上から選択決定された番組Ｄ３について、その放送の種類（地上Ｄ）、チャンネル番号（１５１ｃｈ）、放送日［１１月４日（土）］、番組名（Ｄ３）及び放送時間（ＡＭ６：００〜ＡＭ６：５０）等を表示するとともに、「録画予約」、「視聴予約」、「メールデータ変換」及び「戻る」なる４種類の項目を表示している。そして、ユーザは、リモートコントローラ１７のカーソルキー１７ｆを操作して４つの項目のいずれかを選択し、その選択した項目を決定キー１７ｇの操作で決定することができる。
【００６５】
すなわち、「録画予約」の項目が選択決定された場合には、デジタルテレビジョン放送受信装置１１に対し、電子番組表上から選択決定された番組Ｄ３について、端子２１〜２４に接続された外部の記録機器を指定しての録画予約登録を行なうための処理に切り替えられ、そのための設定用画面が表示されるようになる。
【００６６】
また、「視聴予約」の項目が選択決定された場合には、デジタルテレビジョン放送受信装置１１に対し、電子番組表上から選択された番組Ｄ３について、自己または端子２１〜２４に接続された外部の受信機器を指定しての視聴予約登録を行なうための処理に切り替えられ、そのための設定用画面が表示されるようになる。さらに、「戻る」の項目が選択決定された場合には、前画面の表示に戻される。
【００６７】
そして、上記「メールデータ変換」の項目が選択決定された場合には、図６に示すようなメーカー選択画面が表示される。このメーカー選択画面は、電子メールによる番組予約登録を行なう受信装置の製造メーカーを指定するためのもので、複数（図示の場合は６つ）の製造メーカー名「Ｇ社」、「Ｈ社」、「Ｉ社」、「Ｊ社」、「Ｋ社」、「Ｌ社」を示す６種類の項目と、「戻る」の項目とが表示されている
そして、ユーザは、リモートコントローラ１７のカーソルキー１７ｆを操作していずれかの項目を選択し、その選択した項目を決定キー１７ｇの操作で決定することができる。この場合、「戻る」の項目が選択決定された場合には、前画面の表示に戻される。
【００６８】
また、製造メーカー名「Ｇ社」〜「Ｌ社」に対応するいずれかの項目が選択決定された場合には、図７に示すような機種選択画面が表示される。この機種選択画面は、電子メールによる番組予約登録を行なう受信装置の機種を指定するためのもので、「テレビ」、「レコーダ」、「チューナ」を示す３種類の項目と、「戻る」の項目とが表示されている。
【００６９】
そして、ユーザは、リモートコントローラ１７のカーソルキー１７ｆを操作していずれかの項目を選択し、その選択した項目を決定キー１７ｇの操作で決定することができる。この場合、「戻る」の項目が選択決定された場合には、前画面の表示に戻される。
【００７０】
なお、図５に示した予約選択画面で「メールデータ変換」の項目が選択決定された状態で、図６に示したメーカー選択画面及び図７に示した機種選択画面を表示させて、電子メールによる番組予約登録を行なう受信装置の製造メーカー及び機種を選択決定させる理由は、電子メールによる番組予約登録を行なう機能を備えた受信装置は、その番組予約用メール本文のフォーマットが、製造メーカーによって、また、同じ製造メーカーでも機種によって異なっているからである。
【００７１】
この実施の形態で説明するデジタルテレビジョン放送受信装置１１では、電子メールによる番組予約登録を行なう機能を備えた各種の受信装置について、その製造メーカー及び機種によって異なる様々なフォーマットに対応させた番組予約用メール本文を用意し、例えば不揮発性メモリ６３ｄに記憶させている。
【００７２】
そして、上記したメールデータ作成部６３ｅでは、メーカー選択画面及び機種選択画面で選択決定された製造メーカー及び機種に対応したフォーマットの番組予約用メール本文を不揮発性メモリ６３ｄから読み出して、電子番組表から選択決定された番組に対する番組予約用メール本文を作成するようにしている。
【００７３】
ここで、図７に示した機種選択画面で機種が選択決定されると、図８に示すような変換タイプ選択画面が表示される。この変換タイプ選択画面は、日時やチャンネル等を指定しての番組予約、いわゆる日時指定予約を行なうか、番組そのものを指定しての番組予約、いわゆる番組指定予約を行なうかを指定するためのもので、「日時指定」及び「番組指定」を示す２種類の項目と、「戻る」の項目とが表示されている。
【００７４】
そして、ユーザは、リモートコントローラ１７のカーソルキー１７ｆを操作していずれかの項目を選択し、その選択した項目を決定キー１７ｇの操作で決定することができる。この場合、「戻る」の項目が選択決定された場合には、前画面の表示に戻される。
【００７５】
また、図８に示した変換タイプ選択画面で「日時指定」の項目が選択決定された場合、上記メールデータ作成部６３ｅは、メーカー選択画面及び機種選択画面で選択決定された製造メーカー及び機種に対応したフォーマットの、不揮発性メモリ６３ｄから読み出した番組予約用メール本文を用いて、電子番組表から選択決定された番組に対して日時指定に対応した番組予約用メール本文を作成する。
【００７６】
さらに、図８に示した変換タイプ選択画面で「番組指定」の項目が選択決定された場合、上記メールデータ作成部６３ｅは、メーカー選択画面及び機種選択画面で選択決定された製造メーカー及び機種に対応したフォーマットの、不揮発性メモリ６３ｄから読み出した番組予約用メール本文を用いて、電子番組表から選択決定された番組に対して番組指定に対応した番組予約用メール本文を作成する。
【００７７】
このメールデータ作成部６３ｅでは、電子番組表から選択決定された番組に対する日時やチャンネル等の番組予約情報をＥＰＧ情報から取得し、それらの番組予約情報を、不揮発性メモリ６３ｄから読み出した番組予約用メール本文の中の必要な箇所に埋めていくことにより、当該番組の番組予約に必要な番組予約用メール本文を作成している。
【００７８】
図８に示した変換タイプ選択画面で「日時指定」または「番組指定」の項目が選択決定され、メールデータ作成部６３ｅで番組予約用メール本文が作成されると、図９に示すようなメールデータ通信画面が表示される。このメールデータ通信画面は、メールデータ作成部６３ｅで作成された番組予約用メール本文を、番組予約登録を行なう受信装置に電子メールを送信するための図示しない情報端末に伝達する手段を指定するためのもので、「BlueTooth（登録商標）」、「Ir（赤外線）通信」、「バーコード」を示す３種類の項目と、「戻る」の項目とが表示されている。
【００７９】
そして、ユーザは、リモートコントローラ１７のカーソルキー１７ｆを操作していずれかの項目を選択し、その選択した項目を決定キー１７ｇの操作で決定することができる。この場合、「戻る」の項目が選択決定された場合には、前画面の表示に戻される。
【００８０】
図９に示したメールデータ通信画面で「BlueTooth（登録商標）」または「Ir通信」の項目が選択決定されると、図１０に示すようなメールデータ送信画面が表示される。このメールデータ送信画面が表示された状態で、番組予約登録を行なう受信装置に電子メールを送信するための送信先となる情報端末（図知せず）に受信準備を完了させた後、その情報端末の受信部をメールデータ送信部７２に対向させる。
【００８１】
そして、ユーザがリモートコントローラ１７の決定キー１７ｇを操作すると、メールデータ作成部６３ｅで作成された番組予約用メール本文が、メールデータ送信部７２からBlueTooth（登録商標）または赤外線を使用して無線送信され、情報端末の受信部に受信される。これにより、メールデータ作成部６３ｅで作成された番組予約用メール本文が、情報端末に無線により伝達されることになる。
【００８２】
このようにして、メールデータ送信部７２からの番組予約用メール本文の送信が終了すると、図１１に示すようなデータ送信完了画面が表示され、ここに、メールデータ作成部６３ｅで作成された番組予約用メール本文の、無線による情報端末への伝達が完了したことがユーザに知らされることになる。なお、図１０に示したメールデータ送信画面及び図１１に示したデータ送信完了画面において、リモートコントローラ１７の戻るキー１７ｋを操作すると、前画面の表示に戻すことができる。
【００８３】
また、図９に示したメールデータ通信画面で「バーコード」の項目が選択決定された場合には、図１２に示すようなバーコード画面が表示される。このバーコード画面では、メールデータ作成部６３ｅで作成された番組予約用メール本文を、バーコード７３による表記に変換して表示している。
【００８４】
そして、番組予約登録を行なう受信装置に電子メールを送信するための送信先となる情報端末のバーコード読み取り部を、映像表示器１４に表示されたバーコード画面に近付けて、そのバーコード７３を読み取らせることにより、メールデータ作成部６３ｅで作成された番組予約用メール本文が、情報端末に伝達されることになる。このバーコード７３による番組予約用メール本文の情報端末への伝達では、情報端末の方でバーコード７３の読み取り完了をユーザに知らせることになる。
【００８５】
上記のようにして、デジタルテレビジョン放送受信装置１１のメールデータ作成部６３ｅで作成された番組予約用メール本文が、番組予約登録を行なう受信装置に電子メールを送信するための情報端末に伝達されると、ユーザは、情報端末から電子メール機能を用いて、番組予約用メール本文を受信装置に送信する。すると、受信装置では、電子メールで受信した番組予約用メール本文に基づいて番組予約登録を行ない、ここに、受信装置に対して電子メール機能を用いた番組予約が行なわれることになる。
【００８６】
ここで、図１３は、図８に示した変換タイプ選択画面で「日時指定」の項目が選択決定された場合において作成された番組予約用メール本文が情報端末に伝達されたときに、当該情報端末の表示画面に表示される番組予約用メール本文の一例を示している。この番組予約用メール本文には、電子メールの送信先アドレス、予約する番組の主題、放送日、放送時間、チャンネル等の他に、予約内容が視聴予約か録画予約かを示す各種番組予約情報が含まれている。
【００８７】
また、図１４は、図８に示した変換タイプ選択画面で「番組指定」の項目が選択決定された場合において作成された番組予約用メール本文が情報端末に伝達されたときに、当該情報端末の表示画面に表示される番組予約用メール本文の一例を示している。この番組予約用メール本文には、電子メールの送信先アドレス、予約する番組の主題、放送日、放送時間、チャンネル、予約内容が視聴予約か録画予約かを示す情報の他に、予約する番組に固有の識別番号（event＝130）を示す各種番組予約情報が含まれている。
【００８８】
図１５は、電子番組表からユーザが選択した番組について番組予約用メール本文を自動作成し、その番組予約用メール本文を情報端末から電子メールで受信装置に送信する一連の処理動作をまとめたフローチャートを示している。
【００８９】
すなわち、処理が開始（ステップＳ１）され、ステップＳ２で、電子番組表が映像表示器１４に表示されると、制御部６３は、ステップＳ３で、電子番組表の中から所定の番組が選択決定されたか否かを判別する。そして、番組が選択決定されたと判断された場合（ＹＥＳ）、制御部６３は、ステップＳ４で、その選択決定された番組について、図５に示した予約選択画面を表示させる。
【００９０】
その後、制御部６３は、ステップＳ５で、予約選択画面から「メールデータ変換」の項目が選択決定されたか否かを判別する。そして、制御部６３は、ステップＳ５で「メールデータ変換」以外の項目が選択決定されたと判断された場合（ＮＯ）、ステップＳ６で、選択決定された項目に対応した処理を施すように制御して、処理を終了（ステップＳ７）する。
【００９１】
また、上記ステップＳ５で予約選択画面から「メールデータ変換」の項目が選択決定されたと判断された場合（ＹＥＳ）、制御部６３は、ステップＳ８で、図６に示したメーカー選択画面を表示させる。そして、このメーカー選択画面で所定の製造メーカーが選択決定されると、制御部６３は、ステップＳ９で、図７に示した機種選択画面を表示させる。
【００９２】
この機種選択画面において所定の機種が選択決定されると、制御部６３は、ステップＳ１０で、図８に示した変換タイプ選択画面を表示させる。そして、この変換タイプ選択画面で「日時指定」または「番組指定」が選択決定されると、制御部６３は、ステップＳ１１で、番組予約用メール本文を作成し、ステップＳ１２で、図９に示したメールデータ通信画面を表示させる。その後、制御部６３は、ステップＳ１３で、メールデータ通信画面で選択された手段により番組予約用メール本文の情報端末への伝達が完了した状態で、ステップＳ２の処理に戻される。
【００９３】
上記した実施の形態によれば、ユーザが電子番組表から所望の番組を選択することにより、その選択された番組について、電子メールによる番組予約登録を行なうための番組予約用メール本文を自動作成して、電子メールを送信する情報端末に伝達するようにしている。
【００９４】
このため、ユーザは、番組予約用メール本文を作成するための煩雑な入力操作を行なう必要がなくなり、簡易な操作で情報端末から番組予約登録を行なう受信装置に電子メール機能を用いた番組予約を行なわせることができるようになって、ユーザにとっての取り扱いを便利にすることができる。
【００９５】
なお、ユーザの運用としては、例えば、外出先で図１に示したようなデジタルテレビジョン放送受信装置１１により電子番組表を表示させ、予約したい番組があった場合、その番組について、自宅の受信装置に対応したフォーマットの番組予約用メール本文を作成させ、その番組予約用メール本文を自己の所持する携帯電話等の情報端末に伝達させる。そして、ユーザは、情報端末から、電子メールを用いて自宅の受信装置に番組予約用メール本文を送信する。これにより、当該受信装置に番組予約登録が行なわれるようになる。
【００９６】
また、電子番組表から選択された番組について作成される番組予約用メール本文は、ユーザの操作により番組予約登録を行なう受信装置の製造メーカーや機種等を設定することにより、その設定内容に対応したフォーマットで作成されるので、各種の受信装置に対応することができ、実用的である。
【００９７】
さらに、番組予約登録を行なう受信装置に対して、情報端末から電子メールにより番組予約を行なうシステムにおいて、情報端末から受信装置に電子メールで送信する番組予約用メール本文の中に、予約する番組に固有の識別番号を示す情報を含ませて、番組指定予約を行なえるようにしている。
【００９８】
このため、番組予約用メール本文を受けた受信装置では、識別番号に基づいて予約番組の管理を行なうことができる。これにより、受信装置では、例えば、予約対象の番組の放送時間が変更になった場合でも、そのことを、放送時間変更後に取得したＥＰＧ情報から検知して追従することができるので、番組予約機能を正確に果たすことができる。
【００９９】
また、上記した実施の形態では、ＥＰＧ情報に基づいて作成され映像表示器１４に表示される電子番組表を、図４に示したフォーマットとしたが、この電子番組表は、図４に示したフォーマットに限らず、ＥＰＧ情報に基づいて放送予定番組を一覧表示し、その中から予約対象となる番組を選択することができれば、他のフォーマットで表示してもよいことはもちろんである。
【０１００】
さらに、番組予約登録を行なう受信装置に電子メールを送信するための情報端末、つまり、上記メールデータ作成部６３ｅで作成された番組予約用メール本文を受信し、番組予約登録を行なう受信装置に電子メールで送信する情報端末としては、例えば、携帯電話、携帯情報端末、ＰＣ等が使用可能である。
【０１０１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【０１０２】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置で表示される電子番組表の一例を説明するために示す図。
【図５】同実施の形態におけるデジタルテレビジョン放送受信装置で表示される予約選択画面の一例を説明するために示す図。
【図６】同実施の形態におけるデジタルテレビジョン放送受信装置で表示されるメーカー選択画面の一例を説明するために示す図。
【図７】同実施の形態におけるデジタルテレビジョン放送受信装置で表示される機種選択画面の一例を説明するために示す図。
【図８】同実施の形態におけるデジタルテレビジョン放送受信装置で表示される変換タイプ選択画面の一例を説明するために示す図。
【図９】同実施の形態におけるデジタルテレビジョン放送受信装置で表示されるメールデータ通信画面の一例を説明するために示す図。
【図１０】同実施の形態におけるデジタルテレビジョン放送受信装置で表示されるメールデータ送信画面の一例を説明するために示す図。
【図１１】同実施の形態におけるデジタルテレビジョン放送受信装置で表示されるデータ送信完了画面の一例を説明するために示す図。
【図１２】同実施の形態におけるデジタルテレビジョン放送受信装置で表示されるバーコード画面の一例を説明するために示す図。
【図１３】同実施の形態におけるデジタルテレビジョン放送受信装置で作成される番組予約用メール本文の一例を説明するために示す図。
【図１４】同実施の形態におけるデジタルテレビジョン放送受信装置で作成される番組予約用メール本文の他の例を説明するために示す図。
【図１５】同実施の形態におけるデジタルテレビジョン放送受信装置で実行される主要な処理動作を説明するために示すフローチャート。
【符号の説明】
【０１０３】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィック処理部、５７…音声処理部、５８ａ〜５８ｄ…入力端子、５９…ＯＳＤ信号生成部、６０…映像処理部、６１…出力端子、６２…出力端子、６３…制御部、６３ａ…ＣＰＵ、６３ｂ…ＲＯＭ、６３ｃ…ＲＡＭ、６３ｄ…不揮発性メモリ、６３ｅ…メールデータ作成部、６４…カードＩ／Ｆ、６５…カードホルダ、６６…カードＩ／Ｆ、６７…カードホルダ、６８…通信Ｉ／Ｆ、６９…通信Ｉ／Ｆ、７０…ＵＳＢ Ｉ／Ｆ、７１…ＩＥＥＥ１３９４ Ｉ／Ｆ、７２…メールデータ送信部、７３…バーコード。
【図１】
2009060255.tif 000003
【図２】
2009060255.tif 000004
【図３】
2009060255.tif 000005
【図４】
2009060255.tif 000006
【図５】
2009060255.tif 000007
【図６】
2009060255.tif 000008
【図７】
2009060255.tif 000009
【図８】
2009060255.tif 000010
【図９】
2009060255.tif 000011
【図１０】
2009060255.tif 000012
【図１１】
2009060255.tif 000013
【図１２】
2009060255.tif 000014
【図１３】
2009060255.tif 000015
【図１４】
2009060255.tif 000016
【図１５】
2009060255.tif 000017